(57)【要約】      （修正有）【課題】開封時に包装袋が内容物に接触することが抑制され、容易に開封できる包装袋を提供する。【解決手段】包装袋１は、第１山折部６ａと、該第１山折部との間に谷折部５ｃ，６ｃが形成された第２山折部６ｂと、を備えるガゼット部２ａ，２ｂが、第１方向の両端に、第１方向と略直交する第２方向に沿って設けられた包装袋１であって、第１方向の一方側のガゼット部２ａにおける第１山折部６ａの頂部側の端部に、第２方向に沿って第１シール部３ａが設けられ該第１シール部の第２方向の端部側に、第１切欠部４ａが形成されていることを特徴とする。【選択図】図１
0003185481.tif 000002
【実用新案登録請求の範囲】
【請求項１】
第１山折部と、前記第１山折部との間に谷折部が形成された第２山折部と、を備えるガゼット部が、第１方向の両端に、前記第１方向と略直交する第２方向に沿って設けられた包装袋であって、
前記第１方向の一方側の前記ガゼット部における前記第１山折部の頂部側の端部に、前記第２方向に沿って第１シール部が設けられ、
前記第１シール部の前記第２方向の端部側に、第１切欠部が形成されていることを特徴とする包装袋。
【請求項２】
前記第１シール部は、一枚のシート材の両端部を貼り合わせて形成されている、請求項１に記載の包装袋。
【請求項３】
前記第１方向の一方側の前記ガゼット部における前記第２山折部の頂部側の端部に、前記第２方向に沿って第２シール部が設けられ、
前記第２シール部の前記第２方向の端部側に、前記第１切欠部と対向するようにして第２切欠部が形成されている、請求項１または２に記載の包装袋。
【請求項４】
前記第１方向の他方側の前記ガゼット部における前記第１山折部および前記第２山折部は非シール部である、請求項１から３のいずれか１項に記載の包装袋。
【考案の詳細な説明】
【技術分野】
【０００１】
本考案は、包装袋に関する。
【背景技術】
【０００２】
一般に、幅方向の両端がＶ字型に折り畳まれたガゼット部を備えた包装袋が知られている（例えば、特許文献１）。このような包装袋は、ガゼット部を広げることによって、包装袋の収容部の厚みを大きくできるため、厚みがある内容物を包装するのに適している。
【先行技術文献】
【特許文献】
【０００３】
【特許文献１】特開２０１１−２５１７２９号公報
【考案の概要】
【考案が解決しようとする課題】
【０００４】
上記のような包装袋では、ガゼット部の延在方向の端部が、ガゼット部の延在方向と直交する方向に沿ってシールされ、例えば、そのシールされた部分（シール部）にノッチが設けられている。このようなノッチが設けられた包装袋を開封する場合、ノッチを挟んだ両側を摘み、包装袋の面に略垂直な方向で、かつ、互いに離間する向きに引張する。これにより、包装袋を引き裂いて開封する。
【０００５】
このとき、ガゼット部におけるシール部に設けられたノッチを用いて包装袋を切り裂くと、包装袋を十分に開封することができない。そのため、ガゼット部以外の部分に形成されたシール部、すなわち、シール部の延在方向の中央近傍に形成されたノッチを用いて包装袋を開封する。しかし、包装袋の中央近傍を切り裂くことで開封する場合には、開封される過程で包装袋が内容物に接触し、包装袋を開封しにくい場合がある。
【０００６】
本考案の一つの態様は、上記従来技術の問題点に鑑みて成されたものであって、開封時に包装袋が内容物に接触することが抑制され、容易に開封できる包装袋を提供することを目的の一つとする。
【課題を解決するための手段】
【０００７】
本考案の一つの態様の包装袋は、第１山折部と、前記第１山折部との間に谷折部が形成された第２山折部と、を備えるガゼット部が、第１方向の両端に、前記第１方向と略直交する第２方向に沿って設けられた包装袋であって、前記第１方向の一方側の前記ガゼット部における前記第１山折部の頂部側の端部に、前記第２方向に沿って第１シール部が設けられ、前記第１シール部の前記第２方向の端部側に、第１切欠部が形成されていることを特徴とする。
【０００８】
この構成によれば、第１山折部の第１シール部に形成された第１切欠部の両側を摘み、互いに離間するようにして包装袋の面に垂直な方向に引張することで、ガゼット部の延在方向と直交する第１方向に、包装袋を切り裂くことができる。そして、第１切欠部は、第２方向の端部側に形成されているため、包装袋の第２方向の端部側を切り裂くことによって包装袋を開封することができる。したがって、包装袋を開封する際に、包装袋が内容物に接触することを抑制でき、包装袋を容易に開封できる。
【０００９】
前記第１シール部は、一枚のシート材の両端部を貼り合わせて形成されていてもよい。
一般に、このような包装袋は、一枚のシート材の両端部を貼り合わせて筒状とし、開口部をそれぞれシールすることによって製造する。このとき、シート材の両端部を貼り合わせた部分は、包装袋の裏面の中央部に位置するように形成され、背張部となる。背張部が形成された包装袋では、背張部の延在方向（ガゼット部の延在方向）と交差する方向に包装袋を切り裂く際に、包装袋が切り裂かれることが背張部によって抑制される。
【００１０】
これに対して、この構成によれば、シート材の両端部が貼り合わされた部分を、第１シール部とするため、背張部がない包装袋が得られる。したがって、包装袋を第１方向に切り裂く際に、包装袋が切り裂かれることが背張部によって抑制されることがない。その結果、包装袋を容易に開封できる。
【００１１】
前記第１方向の一方側の前記ガゼット部における前記第２山折部の頂部側の端部に、前記第２方向に沿って第２シール部が設けられ、前記第２シール部の前記第２方向の端部側に、前記第１切欠部と対向するようにして第２切欠部が形成されていてもよい。
この構成によれば、第１山折部と第２山折部とを合わせ、重なった第１切欠部および第２切欠部を用いて包装袋を切り裂くことで、第１山折部および第２山折部の両方から包装袋を切り裂くことができる。そのため、より容易に包装袋を開封できる。
【００１２】
前記第１方向の他方側の前記ガゼット部における前記第１山折部および前記第２山折部は非シール部である。
この構成によれば、第１方向の他方側のガゼット部における山折部は、シール部が設けられていない非シール部である。そのため、包装袋を第１方向の一方側のガゼット部から、第１方向の他方側のガゼット部に向かって包装袋を切り裂く際に、第１方向の他方側の端部において、シール部によって包装袋の開封が抑制されることがない。その結果、容易に包装袋を開封できる。
【考案の効果】
【００１３】
本考案の一つの態様の包装袋によれば、開封時に包装袋が内容物に接触することが抑制され、容易に開封できる包装袋を提供することができる。
【図面の簡単な説明】
【００１４】
【図１】本実施形態の包装袋を示す平面図である。
【図２】本実施形態の包装袋を示す部分拡大図である。
【図３】本実施形態の包装袋に内容物が収容された状態を示す平面図である。
【図４】本実施形態の包装袋を示す図であって、図３におけるＡ−Ａ断面図である。
【図５】本実施形態の包装袋を開封した状態を示す平面図である。
【図６】従来の包装袋を示す平面図である。
【図７】従来の包装袋を開封した状態の一例を示す平面図である。
【考案を実施するための形態】
【００１５】
以下、図を参照しながら、本考案の実施形態に係る包装袋について説明する。
なお、本考案の範囲は、以下の実施の形態に限定されるものではなく、本考案の技術的思想の範囲内で任意に変更可能である。また、以下の図面においては、各構成をわかりやすくするために、実際の構造と各構造における縮尺や数等を異ならせる場合がある。
【００１６】
図１は、本実施形態の包装袋１を示す平面図である。図２は、本実施形態の包装袋１を示す部分拡大図である。
本実施形態の包装袋１は、図１に示すように、第１面部１０と第２面部１１との間に収容部１００が設けられた袋体である。包装袋１は、基材層と熱接着性樹脂層とが積層された一枚のフィルム状の矩形状積層体（シート材）の両端部をシールすることで貼り合わせて、高さ方向（第１方向，図１における上下方向）に開口する筒状とし、高さ方向の両端部が、幅方向（第２方向，図１における左右方向）に沿って延在するシール部１２によってシールされることで形成される。このとき、包装袋１は、矩形状積層体の両端部がシールされた部分が、後述する第１シール部３ａとなるようにして形成される。
【００１７】
包装袋１は、第１ガゼット部（一方側のガゼット部）２ａと、第２ガゼット部（他方側のガゼット部）２ｂと、を備える。
第１ガゼット部２ａは、包装袋１の幅方向の左側（一方側）の端部に設けられている。第１ガゼット部２ａは、第１面部１０の幅方向左側の端部と第２面部１１の幅方向左側の端部とが折り畳まれて形成されている。第１ガゼット部２ａは、第１山折部５ａと、第２山折部５ｂと、第１山折部５ａと第２山折部５ｂとの間に形成された谷折部５ｃと、を備える。
【００１８】
第１山折部５ａは、第１面部１０側に設けられている。言い換えると、第１山折部５ａは、第１面部１０の幅方向左側の端部が折り畳まれることで形成されている。第１山折部５ａの幅方向左側（頂部側）の端部には、高さ方向に沿って第１シール部３ａが設けられている。第１シール部３ａは、前述した矩形状積層体の両端部が、例えば、熱溶着によってシールされた部分である。
【００１９】
第１シール部３ａの高さ方向の上方側の端部側には、幅方向左側に開口する第１ノッチ部（第１切欠部）４ａが形成されている。第１ノッチ部４ａは、高さ方向上方側に設けられたシール部１２よりも、下方側に形成されている。第１ノッチ部４ａは、平面視形状が三角形の切欠きである。なお、第１ノッチ部４ａの平面視形状は、包装袋１を開封できる範囲内において、特に限定されない。
【００２０】
第２山折部５ｂは、第２面部１１側に設けられている。言い換えると、第２山折部５ｂは、第２面部１１の幅方向左側の端部が折り畳まれることで形成されている。第２山折部５ｂの幅方向左側（頂部側）の端部には、高さ方向に沿って第２シール部３ｂが形成されている。図２に示すように、第２シール部３ｂの高さ方向上方側の端部側には、第１ノッチ部４ａと対向する位置に、幅方向左側に開口する第２ノッチ部（第２切欠部）４ｂが形成されている。第２ノッチ部４ｂの形状は、第１ノッチ部４ａと同様である。
【００２１】
第２ガゼット部２ｂは、図１に示すように、第１面部１０の幅方向の右側（他方側）の端部と第２面部１１の幅方向右側の端部とが折り畳まれて形成されており、第１山折部６ａと、第２山折部６ｂと、第１山折部６ａと第２山折部６ｂとの間に形成された谷折部６ｃと、を備える。
【００２２】
第１山折部６ａは、第１面部１０側に設けられている。言い換えると、第１山折部６ａは、第１面部１０の幅方向右側の端部が折り畳まれることで形成されている。
第２山折部６ｂは、第２面部１１側に設けられている。言い換えると、第２山折部６ｂは、第２面部１１の幅方向右側の端部が折り畳まれることで形成されている。
第１山折部６ａおよび第２山折部６ｂは、第１ガゼット部２ａの第１山折部５ａおよび第２山折部５ｂと異なり、シール部が設けられていない非シール部となっている。
【００２３】
図３は、本実施形態の包装袋１の収容部１００に内容物２０を収容した状態を示す平面図である。図４は、本実施形態の包装袋１の収容部１００に内容物２０を収容した状態を示す図であって、図３におけるＡ−Ａ断面図である。
【００２４】
図３および図４に示すように、折り畳まれていた第１山折部５ａ，６ａ、第２山折部５ｂ，６ｂ、および谷折部５ｃ，６ｃが内容物２０の厚みに応じて広げられることで、内容物２０が収容部１００に収容される。
【００２５】
次に、本実施形態の包装袋１の開封手順について説明する。
図５は、本実施形態の包装袋１が開封された状態を示す図である。
まず、第１ガゼット部２ａの第１山折部５ａと第２山折部５ｂとを当接させる。このとき、第１山折部５ａに形成されている第１ノッチ部４ａおよび第２山折部５ｂに形成されている第２ノッチ部４ｂは、それぞれ対向して形成されているため、平面視で重ね合わされた状態となる。
【００２６】
次に、重ね合わされた第１ノッチ部４ａおよび第２ノッチ部４ｂの高さ方向両側を、それぞれ第１山折部５ａと第２山折部５ｂとを合わせて摘み、摘んだ部分が互いに離間するようにして、第１面部１０および第２面部１１と略直交する方向に引張する。これにより、第１ノッチ部４ａおよび第２ノッチ部４ｂから幅方向右側に向かって、それぞれ第１面部１０および第２面部１１が切り裂かれていく。そして、幅方向右側の端部に設けられた第２ガゼット部２ｂが切り裂かれると、包装袋１の高さ方向上方側の端部が分離され、包装袋１が開封される（図５参照）。
【００２７】
図５に示すように、開封された包装袋１は、第１ノッチ部４ａおよび第２ノッチ部４ｂが形成された高さの位置で幅方向に沿って切り裂かれ、高さ方向上方側の端部が分離されている。これにより、開口部３０が形成され、収容部１００が開口部３０と連通される結果、収容部１００に収容された内容物２０を開口部３０から取り出すことができる。
【００２８】
本実施形態によれば、開封時に包装袋１が内容物２０に接触することを抑制できるため、開封することが容易な包装袋が得られる。以下、詳細に説明する。
【００２９】
まず、従来の包装袋を開封する際の問題点について説明する。
図６は、従来の包装袋４０を示す平面図である。
包装袋４０は、第１面部６０と第２面部６１との間に収容部が形成された袋体である。包装袋４０は、本実施形態の包装袋１と同様に、矩形状積層体がシールされることによって形成されている。
【００３０】
包装袋４０は、第１ガゼット部５０ａと、第２ガゼット部５０ｂと、背張部４２と、を備える。ここで、従来の包装袋４０においては、矩形状積層体の両端部がシールされた部分が背張部４２となっている。背張部４２は、第２面部６１側に設けられている。包装袋４０の高さ方向上方側の端部には、ノッチ部４１が形成されている。ノッチ部４１の形成されている幅方向の位置は、第１ガゼット部５０ａと第２ガゼット部５０ｂとの間、言い換えると、幅方向の中央近傍である。これは、第１ガゼット部５０ａまたは第２ガゼット部５０ｂにノッチ部４１が形成されていると、開封する際に、第１ガゼット部５０ａおよび第２ガゼット部５０ｂの山折部の頂部が分離されるのみとなり、十分な開口部が得られないためである。
【００３１】
包装袋４０を開封する際には、ノッチ部４１の両側を摘み、摘んだ部分を互いに離間するようにして第１面部６０および第２面部６１に垂直な方向に引張する。これにより、第１面部６０および第２面部６１が、ノッチ部４１から高さ方向下方側に向かって、引き裂かれていく。
【００３２】
ここで、ノッチ部４１は、幅方向の中央近傍に形成されているため、第１面部６０および第２面部６１が、内容物２０が収容されている位置まで切り裂かれると、包装袋４０が内容物２０に接触してしまう場合がある。このような場合では、第１面部６０および第２面部６１の切り裂かれていく方向が曲げられ、高さ方向下方側の端部まで切り裂かれず、十分な開口部が得られない虞がある。
【００３３】
図７は、従来の包装袋４０を開封した際に、十分な大きさの開口部が得られなかった状態の一例を示す図である。図７では、包装袋４０が内容物２０に接触することで、切り裂かれる方向が幅方向へと反れてしまった場合を示している。このような場合においては、図７に示すように、包装袋４０の一部が分離されることで形成される開口部７０の大きさが、内容物２０の大きさに対して十分なものとならず、内容物２０が取り出しにくい場合がある。
【００３４】
上記問題点に対して、本実施形態の包装袋１によれば、第１ノッチ部４ａおよび第２ノッチ部４ｂを、第１ガゼット部２ａの幅方向左側の端部に形成し、幅方向に切り裂くことによって開封する構成となっている。そのため、第１ノッチ部４ａおよび第２ノッチ部４ｂを高さ方向上方側の端部に形成することができ、切り裂いて開封する際に、包装袋１が内容物２０に接触することを抑制できる。したがって、容易に開封できる包装袋が得られる。
【００３５】
また、従来の包装袋４０では、高さ方向に沿って背張部４２が設けられているため、包装袋４０を幅方向に切り裂こうとすると、背張部４２によって第２面部６１が切り裂かれることが抑制され、開封しにくい。
【００３６】
これに対して、本実施形態によれば、矩形状積層体の両端部がシールされて貼り合わされた部分が、第１シール部３ａとなっている。そのため、背張部がなく、包装袋１を幅方向に切り裂きやすい。
【００３７】
また、包装袋を幅方向に切り裂いて開封する場合において、両端部のガゼット部にシール部が設けられていると、一方のガゼット部から、他方のガゼット部に向かって幅方向に包装袋を切り裂く際に、他方のガゼット部のシール部によって包装袋の切り裂きが抑制され、包装袋を開封しにくい場合がある。
【００３８】
これに対して、本実施形態によれば、第１ガゼット部２ａの第１山折部５ａおよび第２山折部５ｂには、それぞれ第１シール部３ａおよび第２シール部３ｂが形成されているのに対し、第２ガゼット部２ｂの第１山折部６ａおよび第２山折部６ｂにはシール部が形成されていない。そのため、包装袋を幅方向に切り裂いて開封しやすい。
【００３９】
また、本実施形態によれば、第１ガゼット部２ａにおける第１山折部５ａおよび第２山折部５ｂの両方にシール部（第１シール部３ａ，第２シール部３ｂ）およびノッチ部（第１ノッチ部４ａ，第２ノッチ部４ｂ）が設けられている。そのため、第１ノッチ部４ａと第２ノッチ部４ｂとを、重ね合わせて切り裂くことで、より容易に包装袋を開封することができる。
【００４０】
なお、本実施形態においては、下記の構成を採用することもできる。
【００４１】
第１ノッチ部４ａおよび第２ノッチ部４ｂは、高さ方向下方側の端部側に設けられていてもよく、高さ方向上方側の端部側と高さ方向下方側の端部側との両方に設けられていてもよい。
【００４２】
第２山折部５ｂに設けた第２シール部３ｂおよび第２ノッチ部４ｂは、必ずしも設ける必要はない。
【符号の説明】
【００４３】
１…包装袋、２ａ…第１ガゼット部（一方側のガゼット部）、２ｂ…第２ガゼット部（他方側のガゼット部）、３ａ…第１シール部、３ｂ…第２シール部、４ａ…第１ノッチ部（第１切欠部）、４ｂ…第２ノッチ部（第２切欠部）、５ａ，６ａ…第１山折部、５ｂ，６ｂ…第２山折部、５ｃ，６ｃ…谷折部
【図１】
0003185481.tif 000003
【図２】
0003185481.tif 000004
【図３】
0003185481.tif 000005
【図４】
0003185481.tif 000006
【図５】
0003185481.tif 000007
【図６】
0003185481.tif 000008
【図７】
0003185481.tif 000009